(57)【要約】      （修正有）【課題】キーをキーパッドの装着位置に容易且つ堅固に固定させ、固定後にもキーの高さが均一でキーの使用触感の良い通信端末機のキーパッドを提供する。【解決手段】複数のホール１５１ａが穿孔形成されたシート１５１と、該シート１５１の各ホール１５１ａに挿合されて下部に突出されるキー１５２と、前記シート１５１の下面に接着されて前記各キー１５２を前記シート１５１に固定させ、ドームスイッチ１４０をタッチし得るように下面に突条１５３ａが形成されたシリコン接着層１５３と、を包含して通信端末機のキーパッドを構成する。【選択図】図２
2004253384.tif 000002
【特許請求の範囲】
【請求項１】
複数のホールが穿孔形成されたシートと、
前記シートの各ホールに挿合される複数のキーと、
前記シートの下面に接着されて該シートに前記各キーを固定させ、ドームスイッチをタッチし得るように下面に突条が形成されたシリコン接着層と、
を包含して構成されることを特徴とする通信端末機のキーパッド。
【請求項２】
前記キーの下部の周縁には、前記シートのホールに挿合されて外側に突成された係止突条が形成されることを特徴とする請求項１記載の通信端末機のキーパッド。
【請求項３】
前記キーは、プラスチックにより形成されることを特徴とする請求項１記載の通信端末機のキーパッド。
【請求項４】
シートのフィルム素材に複数のホールをパンチング加工する段階と、
前記シートの各ホールにキーを挿合する段階と、
前記シートの下面にシリコンを粘着することで前記各キーを前記シートに固定させる段階と、
を包含することを特徴とする通信端末機のキーパッドの製造方法。
【請求項５】
前記各キーは、インサート方式（インモールド方式）により、前記シートのホールに挿合されることを特徴とする請求項４記載の通信端末機のキーパッドの製造方法。
【請求項６】
前記キーは、プラスチックにより形成されることを特徴とする請求項１記載の通信端末機のキーパッドの製造方法。
【請求項７】
前記キーは、ピンポイントゲート方式により成形されることを特徴とする請求項１記載の通信端末機のキーパッドの製造方法。
【請求項８】
前記キーの質感を高めるため、前記キーをスプレーした後加工する段階を更に追加することを特徴とする請求項１記載の通信端末機のキーパッドの製造方法。
【発明の詳細な説明】
【技術分野】
【０００１】
本発明は通信端末機のキーパッド及びその製造方法に係るもので、詳しくは、一般の電話機や携帯用無線端末機の内部に装着されて、信号の発生及び多様な機能の設定を行うためのスイッチに商用される通信端末機のキーパッド及びその製造方法に関するものである。
【背景技術】
【０００２】
一般に、通信端末機とは、家庭や事務室で通常使用される一般の電話機及び携帯用無線端末機をいい、特に、携帯用無線端末機は、無線通信技術の発展と共にその機能が日々拡大されて、音声送受信、文字メッセージ伝送、データ伝送及び画像送受信等の複雑な機能を遂行している。
【０００３】
且つ、一般の電話機はもちろん、携帯用無線端末機の内部には、信号の発生及び多様な機能の設定を行うためのスイッチ装置としてキーパッドが装着されるが、該キーパッドには、数字又は文字等が印刷された複数のキーが装着され、それらキーは、端末機のフロントハウジングに動作可能に組立てられる。
【０００４】
又、前記キーパッドは、多様な機能を遂行し得るように、外部に露出されて頻繁に使用されるため、デザイン、嗜好のパターン及び視覚的効果はもちろんで、耐久性が非常に重要視されている。
【０００５】
図５は従来の通信端末機の構造を示した分解斜視図で、図示されたように、フロントケース１の側方にはフォルダ２がヒンジ３軸支され、前記フロントケース１にはリヤケース４が係合される。
【０００６】
且つ、上面に複数のホール１ａが穿孔形成されたフロントケース１とリヤケース４との間の内部空間には、接点５ａを有する印刷回路基板５が配置され、該印刷回路基板５の上面には、ドームスイッチ６が配置され、該ドームスイッチ６の上面には、硬質のキーパッド１０が配置される。
【０００７】
又、前記キーパッド１０は、薄い膜状のシート１１と、該シート１１の上面に設置又は形成されるキー１２とから形成され、該キー１２が前記フロントケース１のホール１ａに挿合されることで該ホール１ａを通して前記キー１２が端末機の外部に露出されるように構成される。
【０００８】
図６は従来の通信端末機のキーパッドを示した斜視図、図７は図６のＶＩＩ−ＶＩＩ線縦断面図で、図示されたように、（ｉ）従来の通信端末機の一例においては、印刷回路基板５の上面に弾性力及び復元力を有するドームスイッチ６が装着され、該ドームスイッチ６の上面に、複数のキー１２を有するキーパッド１０がフォーミング（ｆｏｒｍｉｎｇ）され、それらキー１２の内部には、軟質のシリコン１３が射出により充填されていた。
【０００９】
又、図８は従来のキーパッドの他の例を示した斜視図、図９は図８のＩＸ−ＩＸ線断面図で、図示されたように、（ｉｉ）従来の通信端末機の他の例においては、印刷回路基板５の上面に、ドームスイッチ６が形成され、該ドームスイッチ６の上面に突条２３ａを有するシリコン材の保持部材２３が形成され、該保持部材２３の上面にキーパッドシート２１が形成され、該キーパッドシート２１の上面所定位置に複数のプラスチック材のキー２２が接着剤（図示せず）により夫々粘着されていた。
【発明の開示】
【発明が解決しようとする課題】
【００１０】
然るに、このような従来の通信端末機のキーパッドにおいては、前記（ｉ）項記載の場合、硬質材のキーパッドをフォーミングしてキー部を形成するため、キーを形成する作業が非常に難しいと共に、形成されたキーを多様なデザインに変形することが難しかった。
【００１１】
即ち、硬質のフィルムを使用するためキーの形状を形成するとき、キーの角部が潰れることでその外観が明確でなくなり、キーの表面に美観のための装飾ライン等を形成することが難しいので美麗な外観に造ることが難しかった。
【００１２】
更に、粉体塗装及び紫外線コーティングのような外観加工を行うとき、キーの接着部分にも塗装やコーティング面が塗布されて、キーがキーパッドに完全に接着されず動き、又はキーの接着位置が不良になるという不都合な点があった。
【００１３】
又、前記（ｉｉ）項記載の場合は、各キーを粘着する接着剤の塗布量により各キーの高さが夫々異なって形成されるため、使用者が感じるキーの触感が異なることでキーの押す動作が迅速に行われず、場合によってはエラーが発生するので、製品の信頼性が低下するという不都合な点があった。
【００１４】
本発明は、このような従来の課題に鑑みてなされたもので、キーをキーパッドの正確な位置に容易且つ堅固に固定させることができるし、固定した後にもキーの高さが均一であるため、使用者に良好なキーの触感を与え得る通信端末機のキーパッドを提供することを目的とする。
【課題を解決するための手段】
【００１５】
このような目的を達成するため、本発明に係る通信端末機のキーパッドにおいては、複数のホールが穿孔形成されたシートと、前記シートの各ホールに挿合して係止されるキーと、前記シートの下面に接着されてそれらキーを前記シートに固定させ、ドームスイッチをタッチし得るように下面に突条が形成されたシリコン接着層と、を包含して構成されることを特徴とする。
【００１６】
且つ、前記各キーの下部の周縁には、前記シートのホールに挿合されるように係止突条が形成されたことを特徴とする。
【００１７】
又、本発明に係る通信端末機のキーパッドの製造方法においては、シートのフィルム素材に複数のホールをパンチング加工して形成する段階と、前記シートのホールにキーを挿合する段階と、前記シートの下面にシリコン接着層を形成して前記キーを前記シートに固定させる段階と、を包含することを特徴とする。
【００１８】
且つ、前記キーは、インサート方式（インモールド方式）により、前記シートのホールに挿合して係止されたことを特徴とする。
【００１９】
本発明の通信端末機のキーパッドは、複数のホールが穿孔形成されたシートと、前記シートの各ホールに挿合される複数のキーと、前記シートの下面に接着されて該シートに前記各キーを固定させ、ドームスイッチをタッチし得るように下面に突条が形成されたシリコン接着層と、を包含して構成されることを特徴とし、それにより上記目的が達成される。
【００２０】
前記キーの下部の周縁には、前記シートのホールに挿合されて外側に突成された係止突条が形成されることを特徴としてもよい。
【００２１】
前記キーは、プラスチックにより形成されることを特徴としてもよい。
【００２２】
本発明の通信端末機のキーパッドの製造方法は、シートのフィルム素材に複数のホールをパンチング加工する段階と、前記シートの各ホールにキーを挿合する段階と、前記シートの下面にシリコンを粘着することで前記各キーを前記シートに固定させる段階と、を包含することを特徴とし、それにより上記目的が達成される。
【００２３】
前記各キーは、インサート方式（インモールド方式）により、前記シートのホールに挿合されることを特徴としてもよい。
【００２４】
前記キーは、プラスチックにより形成されることを特徴としてもよい。
【００２５】
前記キーは、ピンポイントゲート方式により成形されることを特徴としてもよい。
【００２６】
前記キーの質感を高めるため、前記キーをスプレーした後加工する段階を更に追加することを特徴としてもよい。
【発明の効果】
【００２７】
本発明に係る通信端末機のキーパッド及びその製造方法においては、シート１５１の各ホール１５１ａに複数のキー１５２を挿合して下方に突成させ、それらキー１５２の下部にシリコンを注入することでそれらキー１５２を前記シート１５１に固定させるため、前記キー１５２を前記シート１５１に堅固に装着し得るという効果がある。
【００２８】
又、各キー１５２の外観として、装飾ラインや装飾模様を容易に形成することができるため、より美麗なデザインを具現し得るという効果がある。
【発明を実施するための最良の形態】
【００２９】
以下、本発明の実施の形態に対し、図面に基づいて説明する。
【００３０】
図１Ａは、本発明に係る通信端末機を示した斜視図、図１Ｂは、本発明に係る通信端末機を示した要部斜視図、図２は本発明に係る通信端末機のキーパッドの縦断面図で、図示されたように、本発明の通信端末機においては、フロントケース１１０と、該フロントケース１１０の側方に折り畳み可能にヒンジ１１１ａにより軸支されたフォルダ１１１と、前記フロントケース１１０の後方に係合されたリヤケース１２０とから構成される。
【００３１】
且つ、前記フロントケース１１０とリヤケース１２０間に形成される内部空間には、接点を有する印刷回路基板１３０が装着され、該印刷回路基板１３０の上面には複数のドームスイッチ１４０が夫々配置され、それらドームスイッチ１４０の上面には硬質のキーパッド１５０が配置される。
【００３２】
又、前記キーパッド１５０においては、シート１５１の上面に複数のホール１５１ａが穿孔形成され、それらホール１５１ａにプラスチック材のキー１５２が挿合（ｉｎｓｅｒｔ）されてインサート方式により上方に突出成形されることで、それらキー１５２の下部周縁には係止突条１５２ａが突成される。
【００３３】
又、前記シート１５１の下面にシリコン接着層１５３が接着されることで、前記各キー１５２をそれらキー１５２の係止突条１５２ａを介して前記シート１５１に固定させ、前記シリコン接着層１５３の下面には前記ドームスイッチ１４０にタッチされるように突条１５３ａが形成されている。
【００３４】
このように構成された本発明の通信端末機においては、使用者が信号の発生及び多様な機能の設定を行うためキー１５２を押すと、該キー１５２の下方のシリコン接着層１５３の突条１５３ａがドームスイッチ１４０を加圧して、該ドームスイッチ１４０が印刷回路基板１３０の接点１３０ａをオンさせることで動作される。
【００３５】
このように構成された本発明に係る通信端末機のキーパッドにおいては、各キー１５２の下部の周縁に形成された係止突条１５２ａにより、各キー１５２が各ホール１５１ａに堅固に挿合され、各キー１５２の下方にシリコン接着層１５３が接着されることで、それらキー１５２の接着状態が堅固であるため変形される憂いがない。
【００３６】
一方、図４は、本発明の通信端末機のキーパッドの製造方法を示したフローチャートで、図示されたように、本発明のキーパッドの製造方法においては、パンチングマシンを利用して、硬質のフィルム素材のシートに、前記キーを挿合するための複数のホール１５１ａを夫々穿孔形成する第１段階（Ｓ２１０）と、プラスチック又はラバーをインサート方式（インモールド方式）によって、前記各ホール１５１ａに挿合されるように成形することで下部周縁に係止突条１５２ａを有する複数のキー１５２を夫々成形する第２段階（Ｓ２２０）と、前記シート１５１の各ホール１５１ａに各キー１５２が挿合された状態のシート１５１を、下部金型Ｍ１と上部金型Ｍ２との間に逆に載置した後、二つ以上の射出口（図３参照）Ｈを通してシリコンを射出するピンポイントゲート方式を施して、各キー１５２の下部にシリコンを注入することで、各キー１５２をシート１５１に堅固に装着する第３段階（Ｓ２３０）と、を順次行うようになっている。
【００３７】
このように、本発明に係る通信端末機のキーパッドにおいては、シート及びキーを一体に形成した従来の技術とは異なって、シートのホールにキーを別途に挿合するため、キーの外観に装飾ライン又は装飾模様を形成することが容易で、より美麗なキーパッドを形成することができる。
【００３８】
又、前記キーの外観をスプレーした後、消費者の嗜好に適合するように、キーの触感を高める工程を容易に施すことができる。
【００３９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４０】
【図１Ａ】図１Ａは、本発明に係る通信端末機を示した斜視図である。
【図１Ｂ】図１Ｂは、本発明に係る通信端末機を示した要部拡大図である。
【図２】本発明に係る通信端末機のキーパッドを示した縦断面図である。
【図３】本発明に係るピンポイントゲート方式によりシリコンを射出することを示した概略説明面である。
【図４】本発明に係る通信端末機のキーパッドの製造方法を示したフローチャートである。
【図５】従来の通信端末機の構造を示した分解斜視図である。
【図６】従来の通信端末機のキーパッドを示した斜視図である。
【図７】図６のＶＩＩ−ＶＩＩ線断面図である。
【図８】従来のキーパッドの他の例を示した斜視図である。
【図９】図８のＩＸ−ＩＸ線断面図である。
【符号の説明】
【００４１】
１１０  フロントケース
１１１  フォルダ
１１１ａ  ヒンジ
１２０  リヤケース
１３０  印刷回路基板
１３０ａ  接点
１４０  ドームスイッチ
１５１  シート
１５１ａ  ホール
１５２  キー
１５３  シリコン接着層
１５３ａ  突条
１５２ａ  係止突条
【図１Ａ】
2004253384.tif 000003
【図１Ｂ】
2004253384.tif 000004
【図２】
2004253384.tif 000005
【図３】
2004253384.tif 000006
【図４】
2004253384.tif 000007
【図５】
2004253384.tif 000008
【図６】
2004253384.tif 000009
【図７】
2004253384.tif 000010
【図８】
2004253384.tif 000011
【図９】
2004253384.tif 000012